(57)【要約】【課題】バッテリ温度が所定の温度閾値より低いとき、バッテリ暖機制御の実施可否を適切に判定するハイブリッド車制御装置を提供する。【解決手段】ＨＶ−ＥＣＵ（ハイブリッド車制御装置）は、バッテリ温度Ｔｂが温度閾値Ｔｂｓより低い（Ｓ０２：ＹＥＳ）とき、ナビゲーション装置のルート情報等を取得し、現在以後、バッテリ暖機制御を実施する場合、及び、通常制御を実施する場合における積算終了時刻ｔｆまでのエンジンの燃料消費量を推定し（Ｓ０３〜Ｓ０７）、暖機時燃料消費量推定値ΣＦＣｗｕが通常時燃料消費量推定値ΣＦＣｎｏｒを超える場合（Ｓ０８：ＹＥＳ）、バッテリ暖機制御の実施を禁止する（Ｓ１０）。これにより、単純にバッテリ温度Ｔｂが温度閾値Ｔｂｓより低いとき常にバッテリ暖機制御を実施する従来技術のように、バッテリ暖機制御を実施することでかえって燃費が悪化するという事態を回避することができる。【選択図】図２
2015147499.tif 000002
【特許請求の範囲】
【請求項１】
バッテリ（４）と、
燃料を消費して駆動力を発生するエンジン（２）と、
前記エンジンの駆動力によって発電した電力を前記バッテリに充電可能であり、且つ、前記バッテリが放電した電力を消費して力行動作可能なモータジェネレータ（３）と、
を備えるハイブリッド車（１０１）に適用され、車両の始動時以後、バッテリ温度（Ｔｂ）が所定の温度閾値（Ｔｂｓ）より低いとき、走行要求駆動力に基づいて車両の駆動を制御する通常制御、及び、走行要求駆動力に基づいて車両の駆動を制御しつつバッテリ温度が前記温度閾値に達するまで昇温を促進するバッテリ暖機制御を選択的に実施可能なハイブリッド車制御装置（５０）であって、
バッテリ温度（Ｔｂ）が前記温度閾値（Ｔｂｓ）より低いとき、
前記通常制御においてバッテリ温度が前記温度閾値に達すると推定される時刻を通常昇温時刻（ｔｎｗ）とすると、今後、前記通常制御を実施する場合、及び、前記バッテリ暖機制御を実施する場合における遅くとも前記通常昇温時刻までの前記エンジンの燃料消費量を推定し、
前記バッテリ暖機制御を実施する場合の燃料消費量の推定値である暖機時燃料消費量推定値（ΣＦＣｗｕ）が、前記通常制御を実施する場合の燃料消費量の推定値である通常時燃料消費量推定値（ΣＦＣｎｏｒ）を超える場合、前記バッテリ暖機制御の実施を禁止することを特徴とするハイブリッド車制御装置。
【請求項２】
車両の走行終了時刻（ｔｒｆ）を予測する走行終了時刻予測手段（７０）を備えるハイブリッド車に適用され、
前記走行終了時刻予測手段から取得した前記走行終了時刻が前記通常昇温時刻よりも早い場合、前記通常制御の実施時、及び、前記バッテリ暖機制御の実施時における前記走行終了時刻までの燃料消費量を推定し、前記バッテリ暖機制御の実施可否を判定することを特徴とする請求項１に記載のハイブリッド車制御装置。
【請求項３】
前記エンジンの燃料消費量の推定において、バッテリ温度と、燃料消費量の瞬時値である燃料消費率とのマップを用いて燃料消費量を推定することを特徴とする請求項１または２に記載のハイブリッド車制御装置。
【請求項４】
過去から現在までのバッテリ温度、又は、燃料消費量の瞬時値である燃料消費率の変化に基づいて、今後のバッテリ温度又は燃料消費量を推定することを特徴とする請求項１〜３のいずれか一項に記載のハイブリッド車制御装置。
【請求項５】
運転者によるルート設定、又は、過去の走行履歴についての学習結果から今後の車両の走行負荷又は走行状態を予測する走行情報予測手段（７０）を備えるハイブリッド車に適用され、
前記走行情報予測手段が予測した走行情報に基づいて燃料消費量を推定することを特徴とする請求項１〜４のいずれか一項に記載のハイブリッド車制御装置。
【請求項６】
運転者によるルート設定、又は、過去の走行履歴についての学習結果から今後の車両の走行負荷又は走行状態を予測する走行情報予測手段（７０）を備えるハイブリッド車に適用され、
前記走行情報予測手段によるルート情報から推定した今後の車両の加減速の回数、又は速度変化量に基づくパラメータが所定値を超えるとき、
前記暖機時燃料消費量推定値が前記通常時燃料消費量推定値を超えるとみなし、前記バッテリ暖機制御の実行を禁止することを特徴とする請求項１〜５のいずれか一項に記載のハイブリッド車制御装置。
【請求項７】
運転者によるルート設定、又は、過去の走行履歴についての学習結果から今後の車両の走行負荷又は走行状態を予測する走行情報予測手段（７０）を備えるハイブリッド車に適用され、
前記走行情報予測手段から取得した車両の走行終了までの走行時間または走行距離が所定値未満のとき、
前記暖機時燃料消費量推定値が前記通常時燃料消費量推定値を超えるとみなし、前記バッテリ暖機制御の実行を禁止することを特徴とする請求項１〜６のいずれか一項に記載のハイブリッド車制御装置。
【請求項８】
今後の走行において前記エンジンが燃料消費量に対して発生する駆動力又は発電電力の効率であるエンジン効率を推定し、
前記エンジン効率の推定値が所定値未満のとき、
前記暖機時燃料消費量推定値が前記通常時燃料消費量推定値を超えるとみなし、前記バッテリ暖機制御の実行を禁止することを特徴とする請求項１〜７のいずれか一項に記載のハイブリッド車制御装置。
【請求項９】
前記エンジン効率の推定において、今後の走行における車速が所定の速度範囲外にある場合、又は、今後の走行における車両の走行要求駆動力が所定の駆動力範囲外にある場合、前記エンジン効率の推定値が所定値未満であると判断することを特徴とする請求項８に記載のハイブリッド車制御装置。
【請求項１０】
前記バッテリ暖機制御において、
前記バッテリの充放電を強制的に行い、内部発熱によって前記バッテリを暖機することを特徴とする請求項１〜９のいずれか一項に記載のハイブリッド車制御装置。
【請求項１１】
前記バッテリ暖機制御において、
前記通常制御時よりも目標ＳＯＣ、又はＳＯＣの下限値を低く設定し、充電許容電力（Ｗｉｎ）を拡大することを特徴とする請求項１０に記載のハイブリッド車制御装置。
【請求項１２】
前記バッテリ暖機制御を禁止するとき、
前記エンジンの駆動力によって生成する前記通常制御に対して過剰な電力の充電のみを禁止することを特徴とする請求項１０または１１に記載のハイブリッド車制御装置。
【請求項１３】
前記バッテリ暖機制御において、
前記エンジンの排熱を利用して暖められた空気、又は、温められた冷却水によって前記バッテリを暖機することを特徴とする請求項１〜９のいずれか一項に記載のハイブリッド車制御装置。
【請求項１４】
請求項１〜１３のいずれか一項に記載のハイブリッド車制御装置において、
前記バッテリを充電するための電力を発電するエネルギー源として、燃料の熱エネルギーを利用するエンジンに代えて、反応物質の化学反応により発電する燃料電池（６）を備えるハイブリッド車（１０２）に適用され、
前記エンジンの燃料消費量に代えて、前記燃料電池の反応物質の消費量について、前記バッテリ暖機制御を実施する場合の消費量推定値が前記通常制御を実施する場合の消費量推定値を超える場合、前記バッテリ暖機制御の実施を禁止することを特徴とするハイブリッド車制御装置。
【発明の詳細な説明】
【技術分野】
【０００１】
本発明は、ハイブリッド車において、バッテリの暖機制御を実施可能なハイブリッド車制御装置に関する。
【背景技術】
【０００２】
近年、低燃費、低排気エミッションの社会的要請から車両の駆動力源としてエンジン及びモータジェネレータを搭載したハイブリッド自動車が注目されている。モータジェネレータは、バッテリが放電した電力により力行動作するとともに、発電した電力をバッテリに回生する。
そして、バッテリは低温時に内部損失が増加し出力が制限されるため、バッテリ温度が所定温度より低いとき、暖かい空気や水をバッテリに送ったり、バッテリの充放電量を増加させて内部発熱させたりすることで、バッテリを暖機することが一般に行われている。例えば特許文献１に開示された制御装置は、バッテリ温度が所定温度より低いとき、所定の充電範囲内で充放電を強制的に行うことでバッテリ温度を上昇させる。
【先行技術文献】
【特許文献】
【０００３】
【特許文献１】特開２０００−９２６１４号公報
【発明の概要】
【発明が解決しようとする課題】
【０００４】
バッテリ温度を上昇させる暖機制御の実行中は、走行要求駆動力に基づいて車両の駆動を制御する通常制御時に比べて余分なエネルギーが必要となるため、エンジンの燃料消費量が増加する。そして、バッテリ温度が所定温度に達し暖機制御が完了した後は、バッテリの出力性能が向上するため、通常制御時に比べて燃料消費量が減少する。
そのため、バッテリ暖機制御完了後の走行負荷が比較的大きい場合や走行時間が比較的長い場合には、暖機制御完了後の燃料消費量の減少分が暖機制御中の燃料消費量の増加分を上回り、トータルの燃料消費量が通常制御時に比べて減少する。
【０００５】
しかし、バッテリ暖機制御完了後に軽負荷走行を行う場合やバッテリ暖機制御完了後の走行時間が比較的短い場合には、暖機制御完了後の燃料消費量の減少分が暖機制御中の燃料消費量の増加分を下回るため、トータルの燃料消費量が通常制御時に比べて増加する。
したがって、特許文献１の制御装置のように、単純にバッテリ温度が所定温度より低いとき常にバッテリ暖機制御を実施すると、暖機制御完了後の走行状況等によってはかえって燃費が悪化する場合が発生する。
【０００６】
本発明はこのような点に鑑みて創作されたものであり、その目的は、バッテリ温度が所定の温度閾値より低いとき、バッテリ暖機制御の実施可否を適切に判定するハイブリッド車制御装置を提供することにある。
【課題を解決するための手段】
【０００７】
本発明のハイブリッド車制御装置は、バッテリと、燃料を消費して駆動力を発生するエンジンと、エンジンの駆動力によって発電した電力をバッテリに充電可能であり、且つ、バッテリが放電した電力を消費して力行動作可能なモータジェネレータと、を備えるハイブリッド車に適用される。
このハイブリッド車制御装置は、車両の始動時以後、バッテリ温度（Ｔｂ）が所定の温度閾値（Ｔｂｓ）より低いとき、走行要求駆動力に基づいて車両の駆動を制御する「通常制御」、及び、走行要求駆動力に基づいて車両の駆動を制御しつつバッテリ温度が温度閾値に達するまで昇温を促進する「バッテリ暖機制御」を選択的に実施可能である。
ここで、「バッテリ」は、充放電可能な蓄電装置全般を意味し、キャパシタ等を含む。
【０００８】
このハイブリッド車制御装置は、バッテリ温度（Ｔｂ）が温度閾値（Ｔｂｓ）より低いとき、通常制御においてバッテリ温度が温度閾値に達すると推定される時刻を「通常昇温時刻（ｔｎｗ）」とすると、今後、通常制御を実施する場合、及び、バッテリ暖機制御を実施する場合における遅くとも通常昇温時刻までのエンジンの燃料消費量を推定する。
そして、「バッテリ暖機制御を実施する場合の燃料消費量の推定値である暖機時燃料消費量推定値（ΣＦＣｗｕ）」が「通常制御を実施する場合の燃料消費量の推定値である通常時燃料消費量推定値（ΣＦＣｎｏｒ）」を超える場合、バッテリ暖機制御の実施を禁止することを特徴とする。
【０００９】
このように、本発明では、バッテリ暖機制御を実施する場合の暖機時燃料消費量推定値と、通常制御を実施する場合の通常時燃料消費量推定値とを比較することにより、車両の走行に伴うトータルの燃料消費量をより少なくするように、バッテリ暖機制御の実施可否を適切に判定することができる。
【００１０】
また、車両の走行終了時刻（ｔｒｆ）を予測する走行終了時刻予測手段を備えるハイブリッド車に適用されることを前提として、本発明のハイブリッド車制御装置は、走行終了時刻予測手段から取得した走行終了時刻が通常昇温時刻よりも早い場合、通常制御の実施時、及び、バッテリ暖機制御の実施時における「走行終了時刻までの燃料消費量」を推定し、バッテリ暖機制御の実施可否を判定してもよい。
【００１１】
本発明のハイブリッド車制御装置は、具体的には下記のように燃料消費量を推定する。
（１）バッテリ温度と、燃料消費量の瞬時値である燃料消費率とのマップを用いて燃料消費量を推定する。
（２）過去から現在までのバッテリ温度、又は、燃料消費量の瞬時値である燃料消費率の変化に基づいて、今後のバッテリ温度又は燃料消費量を推定する。バッテリ温度を推定する場合には、上記（１）により、バッテリ温度から燃料消費量を推定する。
（３）運転者によるルート設定、又は、過去の走行履歴についての学習結果から今後の車両の走行負荷又は走行状態を予測する走行情報予測手段を備えるハイブリッド車に適用されることを前提として、走行情報予測手段が予測した走行情報に基づいて燃料消費量を推定する。
【００１２】
本発明のハイブリッド車制御装置は、バッテリ暖機制御において、例えばモータジェネレータが発電した回生電力の充電、及び、モータジェネレータの力行動作に伴う放電によってバッテリの充放電を強制的に行い、内部発熱によってバッテリを暖機する。或いは、エンジンの排熱を利用して暖められた空気、又は、温められた冷却水によってバッテリを暖機してもよい。
【００１３】
強制的充放電によりバッテリ暖機する場合、通常制御時よりも目標ＳＯＣ、又はＳＯＣの下限値を低く設定し、充電許容電力（Ｗｉｎ）を拡大することが好ましい。
また、バッテリ暖機制御を禁止して通常制御を実施するとき、エンジンの駆動力によって生成する「通常制御に対して過剰な電力」の充電のみを禁止するようにしてもよい。このとき、モータジェネレータによる回生電力の充電、及び、ＥＶ走行又はモータアシスト走行による放電は許容する。言い替えれば、エンジンの駆動力によって生成する「通常制御と同等レベルの電力」の充電やモータジェネレータによる回生電力の充電、及び、ＥＶ走行又はモータアシスト走行による放電を行う制御状態は、「通常制御」の範囲に含まれると解釈する。
【００１４】
さらに本発明のハイブリッド車制御装置は、暖機時燃料消費量推定値及び通常時燃料消費量推定値を常に算出しなくてもよい。車両の運転状態を示すパラメータがある条件を満たせば、暖機時燃料消費量推定値が通常時燃料消費量推定値を超えることが経験則等から明らかな場合には、そのパラメータが条件を満たしたとき、暖機時燃料消費量推定値が通常時燃料消費量推定値を超えるとみなし、バッテリ暖機制御の実施を禁止してもよい。
例えば下記のような場合に「みなし判定」をすることが考えられる。これにより、燃料消費量の演算を省略し、制御装置の処理負荷を低減することができる。
【００１５】
（１）運転者によるルート設定、又は、過去の走行履歴についての学習結果から今後の車両の走行負荷又は走行状態を予測する走行情報予測手段を備えるハイブリッド車に適用されることを前提として、走行情報予測手段によるルート情報から推定した今後の車両の加減速の回数、又は速度変化量に基づくパラメータが所定値を超えるとき。
【００１６】
（２）同上の走行情報予測手段を備えるハイブリッド車に適用されることを前提として、走行情報予測手段から取得した車両の走行終了までの走行時間または走行距離が所定値未満のとき。
【００１７】
（３）エンジンが燃料消費量に対して発生する駆動力又は発電電力の効率であるエンジン効率を推定し、エンジン効率の推定値が所定値未満のとき。エンジン効率の推定の例として、今後の走行における車速が所定の速度範囲外にある場合、又は、今後の走行における車両の走行要求駆動力が所定の駆動力範囲外にある場合、エンジン効率の推定値が所定値未満であると判断する。
【図面の簡単な説明】
【００１８】
【図１】本発明の第１〜第４実施形態によるハイブリッド車制御装置が適用されるハイブリッド車のシステム図。
【図２】本発明の第１実施形態によるバッテリ暖機制御判定処理のメインフローチャート。
【図３】図２の（ａ）バッテリ暖機制御ステップ、（ｂ）バッテリ暖機制御禁止ステップのサブフローチャート。
【図４】（ａ）過去の変化履歴からバッテリ温度を推定する方法を説明する図、（ｂ）バッテリ温度と燃料消費率との関係を示すマップ。
【図５】ΣＦＣｗｕ＜ΣＦＣｎｏｒである場合の（ａ）燃料消費率及び（ｂ）バッテリ温度の時間変化を示すタイムチャート。  ΣＦＣｗｕ＞ΣＦＣｎｏｒである場合の（ｃ）燃料消費率及び（ｄ）バッテリ温度の時間変化を示すタイムチャート。
【図６】走行終了予測時刻からバッテリ暖機制御の実施可否を判定する場合の（ａ）燃料消費率及び（ｂ）バッテリ温度の時間変化を示すタイムチャート。
【図７】本発明の第２実施形態によるバッテリ暖機制御判定処理のフローチャート。
【図８】本発明の第３実施形態によるバッテリ暖機制御判定処理のフローチャート。
【図９】本発明の第４実施形態によるバッテリ暖機制御判定処理のフローチャート。
【図１０】車速又は走行駆動力とエンジン効率との関係を示すマップ。
【図１１】本発明のその他の実施形態によるハイブリッド車制御装置が適用されるハイブリッド車のシステム図。
【発明を実施するための形態】
【００１９】
以下、本発明の複数の実施形態を図面に基づいて説明する。
最初に、本発明のハイブリッド車制御装置が適用されるハイブリッド車のシステム例について、図１を参照して説明する。図１に示すハイブリッド車１０１は、駆動力源としてエンジン２及び１つのモータジェネレータ３を備えた、いわゆるパラレルハイブリッド自動車である。「ハイブリッド車制御装置」としてのＨＶ−ＥＣＵ５０は、エンジン２及びモータジェネレータ３（図中「ＭＧ」と示す）の駆動力を調停し、ハイブリッド車１０１の駆動を統括的に制御する。
【００２０】
エンジン２の駆動力はクランク軸１５に伝達され、デファレンシャルギア機構１９、車軸１３を介して車輪１４を駆動する。エンジンＥＣＵ２０は、図示しないクランク角センサから入力されるクランク角信号等に基づいてクランク軸１５のクランク角やエンジン回転速度等の情報を取得し、エンジン２の運転を制御する。
また、エンジン２の運転に伴って発生する排熱Ｑｅは、直接的又は間接的にバッテリ４を暖機するための熱として利用可能である。
【００２１】
モータジェネレータ３は、例えば永久磁石式同期型の三相交流電動機であり、直流電力と三相交流電力とを変換する電力変換装置であるインバータ３２を介してバッテリ４と電気的に接続されている。昇圧コンバータ３１は、バッテリ４とインバータ３２との間に設けられ、バッテリ４の直流電力を昇圧してインバータ３２に出力する。
モータジェネレータ３は、バッテリ４の電力を消費しつつ電動機として力行動作し、エンジン２の駆動力をアシストして車輪１４を駆動する一方で、エンジン２の駆動力によって発電機として回生動作し、発電した電力をバッテリ４に充電可能である。
【００２２】
ＭＧ−ＥＣＵ３０は、ＨＶ−ＥＣＵ５０からのトルク指令や、モータジェネレータ３のロータ近傍に設けられた回転角センサからの電気角信号等に基づいて昇圧コンバータ３１及びインバータ３２のスイッチング動作を制御することで、モータジェネレータ３の通電を制御する。
【００２３】
バッテリ４は、例えばニッケル水素若しくはリチウムイオン等の充放電可能な蓄電装置であり、電気二重層キャパシタ等もバッテリ４の一態様に含むものとする。バッテリ４は、ＳＯＣ（Ｓｔａｔｅ  Ｏｆ  Ｃｈａｒｇｅ）が所定の上下限値の範囲で充電される。
バッテリＥＣＵ４０は、バッテリ４のＳＯＣ、バッテリ温度Ｔｂ等を監視し、その情報をＨＶ−ＥＣＵ５０に送信する。
【００２４】
ＨＶ−ＥＣＵ５０は、アクセルセンサからのアクセル信号、ブレーキスイッチからのブレーキ信号、シフトスイッチからのシフト信号、及び、車両の速度に関する車速信号等が入力され、取得した情報に基づいて車両の運転状態を総合的に判断する。ＨＶ−ＥＣＵ５０は、エンジンＥＣＵ２０、ＭＧ−ＥＣＵ３０、バッテリＥＣＵ４０との間で情報を通信し、エンジン２及びモータジェネレータ３の駆動やバッテリ４の充放電を制御する。
【００２５】
ナビゲーション装置７０は、目的地設定情報等に基づいて車両の走行終了時刻ｔｒｆを予測する「走行終了時刻予測手段」、及び、運転者によるルート設定、又は、過去の走行履歴についての学習結果から今後の車両の走行負荷又は走行状態を予測する「走行情報予測手段」として機能する。ＨＶ−ＥＣＵ５０は、以下に説明するバッテリ暖機制御判定処理を実行するにあたり、必要な情報を適宜ナビゲーション装置７０から取得する。
【００２６】
ＨＶ−ＥＣＵ５０は、車両の始動時以後、バッテリ温度Ｔｂが温度閾値Ｔｂｓより低いとき、「通常制御」及び「バッテリ暖機制御」を選択的に実施可能である。通常制御では、走行要求駆動力に基づいて車両の駆動を制御する。バッテリ暖機制御では、走行要求駆動力に基づいて車両の駆動を制御しつつバッテリ温度Ｔｂが温度閾値Ｔｂｓに達するまで昇温を促進する。これにより、バッテリ４の内部損失が低減し、出力性能が向上する。
【００２７】
例えば特許文献１の従来技術では、単純にバッテリ温度Ｔｂが温度閾値Ｔｂｓより低いとき、常にバッテリ暖機制御を実施する。しかし、暖機制御完了後の走行状態等によっては、バッテリ暖機制御を実施するとかえってエンジン２の燃料消費量が増え、燃費が悪化するため、バッテリ暖機制御を実施しない方がよい場合が想定される。
そこで本発明のＨＶ−ＥＣＵ５０は、トータルでの燃料消費量を低減する観点から、バッテリ暖機制御の実施可否を適切に判定する処理を実行することを特徴とする。以下、ＨＶ−ＥＣＵ５０が実行するバッテリ暖機制御判定処理について、実施形態毎に詳しく説明する。
【００２８】
（第１実施形態）
本発明のハイブリッド車制御装置による第１実施形態のバッテリ暖機制御判定処理について、図２〜図６を参照して説明する。以下のフローチャートの説明で、記号「Ｓ」はステップを意味する。
図２のフローチャートは、本発明の基本的な技術的思想を表す「基本フロー」である。図２のＳ０１で、ＨＶ−ＥＣＵ５０はバッテリ温度Ｔｂを取得する。バッテリ温度Ｔｂが温度閾値Ｔｂｓより低いとき（Ｓ０２：ＹＥＳ）、Ｓ０３に移行する。バッテリ温度Ｔｂが温度閾値Ｔｂｓ以上のとき（Ｓ０２：ＮＯ）、処理を終了する。
【００２９】
Ｓ０３〜Ｓ０７では、現在以後、バッテリ暖機制御を実施すると仮定した場合、及び、通常制御を実施すると仮定した場合のそれぞれについて、バッテリ温度Ｔｂ（ｔ）、燃料消費率ＦＣ（ｔ）の時間変化を推定し（図５、図６参照）、さらに、燃料消費率ＦＣから燃料消費量ΣＦＣを算出して比較するという処理を実行する。
ここで、燃料消費率ＦＣは、単位時間当たりの燃料消費量、すなわち「燃料消費量の瞬時値」であり、逆に、燃料消費量ΣＦＣは「燃料消費率ＦＣの積算値」に相当する。バッテリ温度Ｔｂ、燃料消費率ＦＣが時間ｔの関数であることを強調したい場合のみ、「Ｔｂ（ｔ）、ＦＣ（ｔ）」のように記載する。
また、バッテリ暖機制御を実施する場合の量について、「ウォーミングアップ」を意味する添え字「ｗｕ」を、通常制御を実施する場合の量について、「ノーマル」を意味する添え字「ｎｏｒ」を記号に付して区別する。
【００３０】
Ｓ０３では、バッテリ暖機制御時のバッテリ温度Ｔｂｗｕ（ｔ）、及び、通常制御時のバッテリ温度Ｔｂｎｏｒ（ｔ）の時間変化を推定する。これと共に、バッテリ暖機制御時のバッテリ温度Ｔｂｗｕ（ｔ）が温度閾値Ｔｂｓに達する暖機昇温時刻ｔ１、及び、通常制御時のバッテリ温度Ｔｂｎｏｒ（ｔ）が温度閾値Ｔｂｓに達する通常昇温時刻ｔｎｗが推定される（図５、図６参照）。
ここで、「バッテリ温度Ｔｂが温度閾値Ｔｂｓに達する」とは、厳密に温度が一致する場合に限らない。例えば、バッテリ温度Ｔｂと温度閾値Ｔｂｓとの温度差が所定温度以内となる時刻を暖機昇温時刻ｔ１又は通常昇温時刻ｔｎｗと判断してもよい。
【００３１】
また、バッテリ温度Ｔｂｗｕ（ｔ）、Ｔｂｎｏｒ（ｔ）の時間変化の推定においては、ナビゲーション装置７０によるルート設定や、過去の走行履歴についての学習結果による情報を利用することが好ましい。「走行履歴についての学習結果」とは、例えば通勤通学ルートのように日常反復して走行するルートにおいて、高い確率で予測可能な道路状況や運転状態に関する情報を意味する。
【００３２】
このようなルート情報に基づき、例えば、今後走行する道路が高速道路の場合、平坦な一般道路の場合、山道の場合等によるバッテリ４の充放電挙動を考慮して、バッテリ温度Ｔｂｗｕ（ｔ）、Ｔｂｎｏｒ（ｔ）の時間変化を推定することができる。
或いは、図４（ａ）に示すように、過去に、バッテリ暖機制御及び通常制御によるバッテリ温度Ｔｂｗｕ（ｔ）、Ｔｂｎｏｒ（ｔ）の変化履歴がある場合、過去の変化を外挿することにより、今後のバッテリ温度Ｔｂｗｕ（ｔ）、Ｔｂｎｏｒ（ｔ）の時間変化を推定してもよい。
【００３３】
ところで、比較的短距離の走行の場合等、通常昇温時刻ｔｎｗ以前に車両が走行を終了する可能性も考えられる。そこで、Ｓ０４では、例えばナビゲーション装置７０が目的地情報等に基づいて予測した走行終了時刻ｔｒｆを取得する。そして、Ｓ０５で、通常昇温時刻ｔｎｗ又は走行終了時刻ｔｒｆの早い方の時刻を積算終了時刻ｔｆとする。
なお、ナビゲーション装置７０等の走行情報予測手段が無いか、有っても目的地が設定されておらず走行終了時刻ｔｒｆがわからない場合には、通常昇温時刻ｔｎｗを積算終了時刻ｔｆとすればよい。
【００３４】
Ｓ０６では、各時刻におけるバッテリ暖機制御時の燃料消費率ＦＣｗｕ（ｔ）、及び、通常制御時の燃料消費率ＦＣｎｏｒ（ｔ）を推定する。
この場合、例えば図４（ｂ）に示すバッテリ温度Ｔｂと燃料消費率ＦＣとのマップを用いて、バッテリ温度Ｔｂｗｕ（ｔ）、Ｔｂｎｏｒ（ｔ）に基づいて、燃料消費率ＦＣｗｕ（ｔ）、ＦＣｎｏｒ（ｔ）を推定することができる。図４（ｂ）に示すように、バッテリ温度Ｔｂが低いほど燃料消費率ＦＣは大きく、バッテリ温度Ｔｂが高いほど燃料消費率ＦＣは小さくなり、ある温度以上では一定値に収束する傾向にある。なお、温度閾値Ｔｂｓは、通常、バッテリ温度Ｔｂが一定値となる温度に設定される。
【００３５】
或いは、図４（ａ）に示すバッテリ温度Ｔｂｗｕ（ｔ）、Ｔｂｎｏｒ（ｔ）と同様に、現在以前に、バッテリ暖機制御及び通常制御による燃料消費率ＦＣｗｕ（ｔ）、ＦＣｎｏｒ（ｔ）の変化履歴がある場合、過去の変化を外挿することにより、今後の燃料消費率ＦＣｗｕ（ｔ）、ＦＣｎｏｒ（ｔ）の時間変化を推定してもよい。
なお、Ｓ０４及びＳ０５と、Ｓ０６とは順序を入れ替えてもよい。
【００３６】
Ｓ０７では、積算開始時刻ｔｓから積算終了時刻ｔｆまでの積算期間について、バッテリ暖機制御時及び通常制御時の燃料消費率ＦＣｗｕ（ｔ）、ＦＣｎｏｒ（ｔ）を積算し、バッテリ暖機制御を実施する場合の燃料消費量の推定値である「暖機時燃料消費量推定値ΣＦＣｗｕ」、及び、通常制御を実施する場合の燃料消費量の推定値である「通常時燃料消費量推定値ΣＦＣｎｏｒ」を算出する。
ここで積算開始時刻ｔｓは、エンジン２の始動時に固定してもよい。或いは、処理ルーチンの度に現在時刻を積算開始時刻ｔｓとして更新してもよい。
【００３７】
Ｓ０８では、暖機時燃料消費量推定値ΣＦＣｗｕと通常時燃料消費量推定値ΣＦＣｎｏｒとを比較する。暖機時燃料消費量推定値ΣＦＣｗｕが通常時燃料消費量推定値ΣＦＣｎｏｒ以下の場合、バッテリ暖機制御を実施するメリットがあると判断し、Ｓ０９にてバッテリ暖機制御の実施を許可する。
一方、暖機時燃料消費量推定値ΣＦＣｗｕが通常時燃料消費量推定値ΣＦＣｎｏｒを超える場合、バッテリ暖機制御を実施しない方がトータルの燃料消費量を少なくすることができると判断し、Ｓ１０にてバッテリ暖機制御の実施を禁止する。
【００３８】
次に、Ｓ０９でのバッテリ暖機制御の実施、及び、Ｓ１０でのバッテリ暖機制御の禁止について、図３（ａ）、（ｂ）のサブフローチャートを参照して説明する。
図３（ａ）に示すように、バッテリ暖機制御において回生電力の受容に有利なように、好ましくは、Ｓ０９１で目標ＳＯＣ又はＳＯＣの下限値を通常制御時よりも低く設定し、充電許容電力Ｗｉｎを拡大する。
Ｓ０９２では、エンジン駆動力による充電と、ＥＶ走行又はモータアシスト走行による放電とを強制的に行い、内部発熱によりバッテリ４を暖機する。
【００３９】
また、図３（ｂ）に示すように、バッテリ暖機制御を禁止する場合、Ｓ１０１で、エンジン駆動力によって生成する「通常制御に対して過剰な電力の充電」のみを禁止する。このとき、モータジェネレータ３による回生電力の充電、及び、ＥＶ走行又はモータアシスト走行による放電は許容する。すなわち、燃料を消費しないモータジェネレータ３の回生による充電は実行する方が好ましく、また、回生によってバッテリ４が蓄えた電力を放電するために、回生分の電力については放電を許可することが好ましい。
【００４０】
補足すると、特開２００９−７８８０７号公報には、バッテリ温度Ｔｂが設定温度Ｔｂｓより低く、エンジンが起動中であるとき、通常制御に用いる目標ＳＯＣよりも低い目標ＳＯＣLを設定してバッテリの強制放電を行い、エンジンの駆動力による充電を禁止するとともにモータジェネレータの回生による充電を行うことで余分な燃料を消費せずにバッテリを暖機する技術が開示されている。
しかし、この技術では、エンジン起動中に放電を行うとエンジン効率が低い動作点で運転することになり、かえって燃費が悪化することとなる。それに対し、本実施形態では、バッテリ暖機制御の実施可否を適切に判定することで、燃費の悪化防止を図る。
【００４１】
続いて、バッテリ暖機制御判定処理による効果について、図５、図６のタイムチャートを参照して説明する。
図５（ａ）、（ｂ）に示すタイムチャートは、共通の時間軸を横軸とし、（ａ）燃料消費率ＦＣ、及び、（ｂ）バッテリ温度Ｔｂの始動時刻ｔ０からの時間変化を縦軸とする。
始動時刻ｔ０においてバッテリ温度Ｔｂは温度閾値Ｔｂｓより低い。その後、一点鎖線で示す通常制御では緩やかにバッテリ温度Ｔｂが上昇し、通常昇温時刻ｔｎｗに温度閾値Ｔｂｓに達する。一方、実線で示すバッテリ暖機制御ではより急激にバッテリ温度Ｔｂが上昇し、暖機昇温時刻ｔ１に温度閾値Ｔｂｓに達し、暖機制御を完了する。
【００４２】
図５（ａ）にて、始動時刻ｔ０から暖機昇温時刻ｔ１までの期間は、暖機時燃料消費率ＦＣｗｕが通常時燃料消費率ＦＣｎｏｒより大きい。この期間での暖機時燃料消費率ＦＣｗｕの積算値から通常時燃料消費率ＦＣｎｏｒの積算値を差し引いた燃料消費量の差分を面積Ａで表す。
一方、暖機昇温時刻ｔ１時刻から通常昇温時刻ｔｎｗまでの期間は、通常時燃料消費率ＦＣｎｏｒが暖機時燃料消費率ＦＣｗｕより大きい。この期間での通常時燃料消費率ＦＣｎｏｒの積算値から暖機時燃料消費率ＦＣｗｕの積算値を差し引いた燃料消費量の差分を面積Ｂで表す。
【００４３】
以上の説明は、図５（ｃ）、（ｄ）についても同様である。図５（ｃ）、（ｄ）では、図５（ａ）、（ｂ）に比べて通常昇温時刻ｔｎｗが早い。例えばナビゲーション装置７０からのルート情報等に基づき、図５（ａ）、（ｂ）の例は、今後、走行する道路が市街地の平坦な道路の場合を想定しており、図５（ｃ）、（ｄ）の例は、今後、走行する道路が山道の場合を想定している。今後、カーブや登降坂の多い山道を走行すると予想される場合には、通常制御でも加減速の繰り返しに伴うバッテリ充放電の機会が必然的に増加するため、市街地の平坦な道路を走行する場合よりも通常昇温時刻ｔｎｗが早くなると推定する。
【００４４】
図５（ａ）、（ｂ）の例では、「面積Ａ＜面積Ｂ」である。この場合、バッテリ暖機制御を実施することで暖機昇温時刻ｔ１までは通常制御よりも燃料消費量が増加し、「初期損失」が発生する。しかし、バッテリ暖機制御を実施した結果、暖機制御完了後の時刻ｔ１から通常昇温時刻ｔｎｗまでの期間に得られる燃料消費量低減効果が初期損失を上回り、トータルとして（面積Ｂ−面積Ａ）分の燃料消費量を低減することができる。したがって、バッテリ暖機制御を実施するメリットがある。
【００４５】
一方、図５（ｃ）、（ｄ）の例では面積Ａ＞面積Ｂである。この場合、バッテリ暖機制御を実施した結果、暖機制御完了後の時刻ｔ１から通常昇温時刻ｔｎｗまでの期間に得られる燃料消費量低減効果が初期損失に及ばず、トータルとして（面積Ａ−面積Ｂ）分の燃料消費量が損失となる。このような場合にはバッテリ暖機制御を実施するメリットが無いため、バッテリ暖機制御を実施しないで通常制御を実施する方がよいと判断する。
【００４６】
次に、図６（ａ）、（ｂ）は、図５（ａ）、（ｂ）と同一の特性線を示し、「面積Ａ＜面積Ｂ」である。ここで、面積Ｂを、面積Ａに等しい面積Ｃと、残りの面積Ｄとに分けて考える。そして、暖機昇温時刻ｔ１からその時刻までの期間における燃料消費量を示す面積Ｃが面積Ａと等しくなる時刻を「平衡時刻ｔ２」とする。すなわち、平衡時刻ｔ２では、バッテリ暖機制御による燃料消費量の初期損失と、バッテリ暖機制御によって得られる燃料消費量の低減効果とが釣り合う。
【００４７】
ＨＶ−ＥＣＵ５０は、ナビゲーション装置７０の目的地設定の情報等から推定される走行終了時刻ｔｒｆを取得することにより、次のような判断が可能となる。
走行終了時刻ｔｒｆ（１）が平衡時刻ｔ２より早い場合、バッテリ暖機制御の効果が初期損失を補填する以前に走行を終了することとなるため、バッテリ暖機制御を実施しない方がよい。一方、走行終了時刻ｔｒｆ（２）が平衡時刻ｔ２より遅い場合、初期損失を上回るバッテリ暖機制御の効果が得られるため、バッテリ暖機制御を実施する方がよい。
【００４８】
このように本実施形態のＨＶ−ＥＣＵ５０は、バッテリ温度Ｔｂが温度閾値Ｔｂｓより低いとき、現在以後、バッテリ暖機制御を実施する場合、及び、通常制御を実施する場合における積算終了時刻ｔｆまでのエンジン２の燃料消費量を推定し、暖機時燃料消費量推定値ΣＦＣｗｕが通常時燃料消費量推定値ΣＦＣｎｏｒを超える場合、バッテリ暖機制御の実施を禁止する。これにより、バッテリ暖機制御の実施可否を適切に判定することができる。したがって、単純にバッテリ温度Ｔｂが温度閾値Ｔｂｓより低いとき常にバッテリ暖機制御を実施する従来技術のように、バッテリ暖機制御を実施することでかえって燃費が悪化するという事態を回避することができる。
【００４９】
さらに、例えばナビゲーション装置７０に代表されるような、「運転者によるルート設定、又は、過去の走行履歴についての学習結果から今後の車両の走行負荷又は走行状態を予測する走行情報予測手段」や「車両の走行終了時刻ｔｒｆを予測する走行終了時刻予測手段」からの情報を利用することで、暖機時燃料消費量ΣＦＣｗｕ及び通常時燃料消費量ΣＦＣｎｏｒをより適確に推定することができ、その推定結果に基づき、バッテリ暖機制御の実施可否をより適切に判定することができる。
【００５０】
（第２〜第４実施形態）
本発明のハイブリッド車制御装置による第２〜第４実施形態のバッテリ暖機制御判定処理について、図７〜図１０を参照して説明する。
第１実施形態の図２に示す「基本フロー」では、Ｓ０３〜Ｓ０７のステップを通して、暖機時燃料消費量推定値ΣＦＣｗｕ及び通常時燃料消費量推定値ΣＦＣｎｏｒを算出した上で、Ｓ０８で両者を比較してバッテリ暖機制御の実施可否を判定する。
【００５１】
それに対し、第２〜第４実施形態の各フローでは、車両の運転状態を示すパラメータがある条件を満たしたとき、暖機時燃料消費量推定値ΣＦＣｗｕが通常時燃料消費量推定値ΣＦＣｎｏｒを超える（Ｓ０８：ＹＥＳ）とみなし、バッテリ暖機制御の実施を禁止するという「みなし判定」を行う。つまり、基本フローどおりに燃料消費量を推定するステップを省略して、実施可否判定の結論に直接導く。
この「みなし判定」は、「車両の運転状態を示すパラメータがある条件を満たせば、暖機時燃料消費量推定値ΣＦＣｗｕが通常時燃料消費量推定値ΣＦＣｎｏｒを超える」ことが経験則等から明らかであるという前提の下に成立する。
【００５２】
第２〜第４実施形態に対応する図７〜図９の各フローチャートにおいて、Ｓ０１、Ｓ０２、Ｓ０９、Ｓ１０のステップは、図２のフローチャートの各ステップと実質的に同一である。以下、Ｓ０１で取得したバッテリ温度Ｔｂが温度閾値Ｔｂｓより低い（Ｓ０２：ＹＥＳ）ときにＨＶ−ＥＣＵ５０が実行するバッテリ暖機制御判定処理について順に説明する。
【００５３】
図７に示す第２実施形態のフローでは、Ｓ２１で、ナビゲーション装置７０のルート情報や現在の運転状態の情報等から、今後の走行での加減速の回数や、加減速の程度を示す速度変化量を推定する。加減速の回数が所定回数より多い場合、又は速度変化量の累積値が所定量より多い場合（Ｓ２２：ＹＥＳ）には、「ΣＦＣｗｕ＞ΣＦＣｎｏｒ」とみなし（Ｓ０８Ｙ）、バッテリ暖機制御の実施を禁止する（Ｓ１０）。
一方、Ｓ２２でＮＯの場合、バッテリ暖機制御を許可する。或いは、図２の基本フローに従って暖機時燃料消費量推定値ΣＦＣｗｕ及び通常時燃料消費量推定値ΣＦＣｎｏｒを正規に算出した上で、バッテリ暖機制御の実施可否を判定してもよい。
【００５４】
例えば、今後の走行で山道等のカーブの連続や登降坂の連続により加減速の回数や加減速の程度が増加する場合は、通常制御でも必然的にバッテリ充放電の機会が多くなり、バッテリ温度が比較的早く上昇するため、バッテリ暖機制御によって暖機を促進するメリットが相対的に低下する。
したがって、この場合、ＨＶ−ＥＣＵ５０は、暖機時燃料消費量推定値ΣＦＣｗｕ及び通常時燃料消費量推定値ΣＦＣｎｏｒを算出するまでもなく、バッテリ暖機制御を実施しない方がトータルの燃料消費量が少なくなると判断する。
【００５５】
図８に示す第３実施形態のフローでは、Ｓ３１で、ナビゲーション装置７０の目的地情報等から、走行終了までの走行時間又は走行距離の予測情報を取得する。走行終了までの走行時間が所定時間より短い場合、又は、走行終了までの走行距離が所定距離より短い場合（Ｓ３２：ＹＥＳ）には、「ΣＦＣｗｕ＞ΣＦＣｎｏｒ」とみなし（Ｓ０８Ｙ）、バッテリ暖機制御の実施を禁止する（Ｓ１０）。
Ｓ３２でＮＯの場合については、第２実施形態のＳ２２でＮＯの場合と同様とする。
【００５６】
第１実施形態では、燃料消費量推定値ΣＦＣｎｏｒ及び通常時燃料消費量推定値ΣＦＣｎｏｒを都度算出した上で、図６における走行終了時刻ｔｒｆが平衡時刻ｔ２より早い場合には、結果として「ΣＦＣｗｕ＞ΣＦＣｎｏｒ」となる。
それに対し、第３実施形態では、運転状態や道路状況による暖機時燃料消費量推定値ΣＦＣｗｕ及び通常時燃料消費量推定値ΣＦＣｎｏｒの変動範囲を考慮し、走行時間又は走行距離がその時間又はその距離より短ければ必ず「ΣＦＣｗｕ＞ΣＦＣｎｏｒ」となると考えられる所定時間又は所定距離を閾値として設定する。そうすることで、ＨＶ−ＥＣＵ５０は、暖機時燃料消費量推定値ΣＦＣｗｕ及び通常時燃料消費量推定値ΣＦＣｎｏｒを算出するまでもなく、バッテリ暖機制御を実施しない方がトータルの燃料消費量が少なくなると判断する。
【００５７】
図９に示す第４実施形態のフローでは、Ｓ４１で、今後の走行における車速Ｖ又は走行要求駆動力Ｐｒｕｎを、例えばある期間での平均車速Ｖ又は平均走行要求駆動力Ｐｒｕｎとして推定する。車速Ｖが閾値Ｖ１から閾値Ｖ２までの速度範囲外にある場合、又は、走行要求駆動力Ｐｒｕｎが閾値Ｐ１から閾値Ｐ２までの駆動力範囲外にある場合（Ｓ４２：ＮＯ）には、エンジン効率の推定値ηが閾値ηｔｈ未満であると判断する（Ｓ４４）。そして、「ΣＦＣｗｕ＞ΣＦＣｎｏｒ」とみなし（Ｓ０８Ｙ）、バッテリ暖機制御の実施を禁止する（Ｓ１０）。
【００５８】
一方、車速Ｖが閾値Ｖ１から閾値Ｖ２までの速度範囲内にある場合、又は、走行要求駆動力Ｐｒｕｎが閾値Ｐ１から閾値Ｐ２までの駆動力範囲内にある場合（Ｓ４２：ＹＥＳ）には、エンジン効率の推定値ηが閾値ηｔｈ以上であると判断し（Ｓ４３）、バッテリ暖機制御を許可する。或いは、第２実施形態と同様、図２の基本フローに従って暖機時燃料消費量推定値ΣＦＣｗｕ及び通常時燃料消費量推定値ΣＦＣｎｏｒを正規に算出した上で、バッテリ暖機制御の実施可否を判定してもよい。
【００５９】
図１０に示すように、車速Ｖ又は走行要求駆動力Ｐｒｕｎに対しエンジン効率ηは山型の特性を示し、車速Ｖが閾値Ｖ１より小さいとき又は走行要求駆動力Ｐｒｕｎが閾値Ｐ１より小さいとき、及び、車速Ｖが閾値Ｖ２より大きいとき又は走行要求駆動力Ｐｒｕｎが閾値Ｐ２より大きいときには、エンジン効率ηは閾値ηｔｈを下回る。また、走行負荷が高い場合は、充電によるエンジン動作点のシフトによりエンジン効率ηが低下する傾向にある。
【００６０】
エンジン効率ηが低い領域では、バッテリ暖機のための燃料消費量の増加、すなわち初期損失が、暖機制御完了後の燃料消費量の低減効果より大きくなる。したがって、ＨＶ−ＥＣＵ５０は、暖機時燃料消費量推定値ΣＦＣｗｕ及び通常時燃料消費量推定値ΣＦＣｎｏｒを算出するまでもなく、バッテリ暖機制御を実施しない方がトータルの燃料消費量が少なくなると判断する。
また、走行要求駆動力Ｐｒｕｎが小さい低負荷走行の場合、そもそもバッテリ４を暖機して出力性能を確保する必要性が少ないため、バッテリ暖機制御を実施しなくてよい。
【００６１】
以上の第２〜第４実施形態は、第１実施形態と同様の効果を奏する。また、暖機時燃料消費量推定値ΣＦＣｗｕ及び通常時燃料消費量推定値ΣＦＣｎｏｒの演算を省略し、制御装置の処理負荷を低減することができる。
【００６２】
（その他の実施形態）
（ア）本発明のバッテリ暖機制御においてバッテリ４を暖機する方法として、上記実施形態で例示したバッテリ４の強制充放電の他、図１に示すように、エンジン２の排熱Ｑｅを利用してもよい。すなわち、エンジン２の排熱を利用して暖められた空気、又は、温められた冷却水によってバッテリ４を暖機することができる。
この形態でのバッテリ暖機制御では、ＨＶ−ＥＣＵ５０は、ファンやウォーターポンプを駆動することで、暖められた空気、又は、温められた冷却水の熱をバッテリ４に供給する。ファンやウォーターポンプをバッテリ暖機のために余計に駆動するため、暖機制御中は通常制御時に対し燃料消費量が増加する。そこで、上記実施形態と同様の判定処理を行うことにより、バッテリ暖機制御の実施可否を適切に判定することができる。
その他、電気ヒータを用いてバッテリの暖機を行ってもよい。
【００６３】
（イ）上記実施形態では、「走行終了時刻予測手段」及び「走行情報予測手段」としてのナビゲーション装置７０から取得した目的地情報やルート情報に基づいて、ＨＶ−ＥＣＵ５０が必要な判断を行う。その他、スマートフォン等の携帯機器を「走行終了時刻予測手段」や「走行情報予測手段」として利用することも考えられる。また、ＨＶ−ＥＣＵ自体に目的地情報やルート情報が入力され、ＨＶ−ＥＣＵの内部で情報の読み出しから演算までを実行するようにしてもよい。
【００６４】
（ウ）本発明のハイブリッド車制御装置が適用されるハイブリッド車は、上記実施形態の図１に示す、駆動力源としてのエンジン２及び１つのモータジェネレータ３を備えたハイブリッド車に限らない。例えば、駆動力源としてのエンジンと２つのモータジェネレータ、及び、エンジンの動力を分割する動力分割機構を備えた、いわゆるシリーズパラレルハイブリッド車に適用されてもよい。また、図１において、モータジェネレータ３とデファレンシャルギア機構１９との間に変速機やクラッチを備えてもよい。
【００６５】
（エ）さらに図１１に示すように、本発明のハイブリッド車制御装置は、バッテリ４を充電するための電力を発電するエネルギー源として、燃料の熱エネルギーを利用するエンジンに代えて、燃料電池を備えるハイブリッド車１０２に適用されてもよい。図１１において、図１と実質的に同一の構成には同一の符号を付して説明を省略する。
燃料電池の原理は、電解質膜をはさんだ一方の電極（負極）に水素を、他方の電極（正極）に酸素を送ることによって化学反応を起こし、水と電気とを発生させるものである。電解質膜を正負の電極ではさんだセルを重ねてパッケージにしたものがＦＣスタック６である。ＦＣスタック６には、エアコンプレッサ（ＡＣＰ）６２によって加圧された空気、及び、水素タンク６１からの水素が供給される。ＦＣスタック６が発生した直流電力は、昇圧コンバータ３１に供給される。ここで、「水素及び酸素」は、特許請求の範囲に記載の「反応物質」に相当する。
【００６６】
エアコンプレッサ（ＡＣＰ）６２を駆動するインバータ３３は、モータジェネレータ３を駆動するインバータ３２と共に昇圧コンバータ３１からの昇圧電圧が入力され、ＭＧ−ＥＣＵ３０によって通電が制御される。ＦＣ−ＥＣＵ６０は、ＨＶ−ＥＣＵ５０の指令に基づき、ＦＣスタック６による発電を制御する。
この場合、ＨＶ−ＥＣＵ５０は、ＦＣスタック６の水素及び酸素の消費量について、バッテリ暖機制御を実施する場合の消費量推定値が通常制御を実施する場合の消費量推定値を超える場合、バッテリ暖機制御の実施を禁止する。
【００６７】
以上、本発明は、上記実施形態になんら限定されるものではなく、発明の趣旨を逸脱しない範囲において種々の形態で実施可能である。
【符号の説明】
【００６８】
１０１、１０２・・・ハイブリッド車、
２  ・・・エンジン、
３  ・・・モータジェネレータ、
４  ・・・バッテリ、
５０・・・ＨＶ−ＥＣＵ（ハイブリッド車制御装置）、
６  ・・・燃料電池、
７０・・・ナビゲーション装置（走行終了時刻予測手段、走行情報予測手段）。
【図１】
2015147499.tif 000003
【図２】
2015147499.tif 000004
【図３】
2015147499.tif 000005
【図４】
2015147499.tif 000006
【図５】
2015147499.tif 000007
【図６】
2015147499.tif 000008
【図７】
2015147499.tif 000009
【図８】
2015147499.tif 000010
【図９】
2015147499.tif 000011
【図１０】
2015147499.tif 000012
【図１１】
2015147499.tif 000013